【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
基地局（ＢＳ）と医療機器（ＭＤ）との間で電力効率のよい無線高周波（ＲＦ）通信を可能にする、前記ＢＳが使用するための方法であって、以下のステップ、
（ａ）前記ＢＳと前記ＭＤとの間に、前記ＢＳと前記ＭＤとの間でデータ転送が望まれる期間を含む通信セッションを確立するステップと、
（ｂ）前記ＢＳと前記ＭＤとの間の前記通信セッション中にリンク中断モードを選択的にオンおよびオフにするステップと、
（ｃ）前記ＢＳと前記ＭＤとの間の前記通信セッション中に前記リンク中断モードがオフの状態では、前記ＢＳと前記ＭＤとの間に確立したＲＦリンクを維持するステップと、
（ｄ）前記ＢＳと前記ＭＤとの間の前記通信セッション中に前記リンク中断モードがオンの状態では、前記ＢＳが前記ＭＤに命令を送ることになる場合のみ前記ＢＳと前記ＭＤとの間にＲＦリンクを確立し、前記ＢＳが前記ＭＤから命令応答を受信すると前記ＢＳと前記ＭＤとの間の前記ＲＦリンクを終了するステップと、
（ｅ）前記ＢＳと前記ＭＤとの間の前記通信セッションを終了するステップと、を備え、
該ＲＦリンクの各々は、前記ＢＳと前記ＭＤとの間でデータの無線送信を可能とする、これらの間で確立する無線通信経路を含むことを特徴とする方法。
【請求項２】
前記ステップ（ｂ）は、前記ＢＳが前記ＢＳと前記ＭＤとの間で前記通信セッションを開始すると、前記リンク中断モードをオフにし、前記ＢＳと前記ＭＤとの間にＲＦリンクを確立することを含むことを特徴とする請求項１に記載の方法。
【請求項３】
前記ステップ（ｂ）は、
（ｂ．１）
（ｂ．１．ｉ）前記ＢＳが前記ＭＤに命令を送ることになり、これに応答して前記ＢＳが前記ＭＤから複数の命令応答を受信する予定である場合、および／または
（ｂ．１．ｉｉ）前記ＢＳが前記ＭＤに複数の命令を送ることになる場合に、前記リンク中断モードをオフにすることと、
（ｂ．２）
（ｂ．２．ｉ）前記ＢＳが前記ＭＤに１つの命令を送ることになり、これに応答して前記ＢＳが前記ＭＤから１つの命令応答を受信する予定である場合、
（ｂ．２．ｉｉ）前記ＢＳが前記ＢＳのユーザインタフェースを介したユーザからの入力を受信するまで前記ＢＳが新たな命令を前記ＭＤに送る予定でない場合、または
（ｂ．２．ｉｉｉ）前記ＢＳが所定時間内に新たな命令を前記ＭＤに送る予定でない場合に、前記リンク中断モードをオンにすることとを備える
ことを特徴とする請求項１又は２に記載の方法。
【請求項４】
前記ステップ（ｃ）は、
（ｃ．１）リンクメンテナンスメッセージを前記ＭＤに送信することで前記ＢＳと前記ＭＤとの間の前記ＲＦリンクを維持することと、
（ｃ．２）以下に生じる状態：
（ｉ）前記ＢＳが前記リンク中断モードをオンにする、
（ｉｉ）前記ＢＳが前記ＲＦリンクを終了する指示を実行する、または
（ｉｉｉ）前記ＢＳがリンクタイムアウト時間の間リンクメンテナンスメッセージもしくは命令応答を前記ＭＤから受信しない、のいずれかに応答して前記ＢＳと前記ＭＤとの間の前記ＲＦリンクを終了することとを含む
ことを特徴とする請求項１〜３いずれか一項に記載の方法。
【請求項５】
前記ＢＳと前記ＭＤとの間の前記通信セッション中に前記ステップ（ｂ）および（ｃ）は、
前記リンク中断モードがオフの状態では、前記ＭＤから複数の命令応答が必要となるような命令を前記ＢＳから前記ＭＤに送ることと、
前記リンク中断モードがオフの状態では、前記ＭＤから前記複数の命令応答を前記ＢＳで受信することと、
前記ＭＤから前記複数の命令応答を前記ＢＳで受信した後、前記リンク中断モードをオンにして前記ＲＦリンクを終了することとを含む
ことを特徴とする請求項１〜４いずれか一項に記載の方法。
【請求項６】
前記ＢＳと前記ＭＤとの間の前記通信セッション中に前記ステップ（ｂ）および（ｃ）は、
前記リンク中断モードがオフの状態では、前記ＢＳから前記ＭＤに複数の命令を送ることと、
前記リンク中断モードがオフの状態では、前記複数の命令に応答して前記ＭＤから命令応答を前記ＢＳで受信することと、
前記ＭＤから前記命令応答を前記ＢＳで受信した後、前記リンク中断モードをオンにして前記ＲＦリンクを終了することとを含む
ことを特徴とする請求項１〜５いずれか一項に記載の方法。
【請求項７】
前記ＢＳと前記ＭＤとの間の前記通信セッション中に前記ステップ（ｄ）は、
前記リンク中断モードがオンの状態では、前記ＭＤから１つの命令応答が必要となるような１つの命令を前記ＢＳが前記ＭＤに送ることになる場合、前記ＢＳと前記ＭＤとの間にＲＦリンクを確立することと、
前記ＭＤから前記１つの命令応答が必要となるような前記１つの命令を前記ＢＳから前記ＭＤに送ることと、
前記ＭＤから前記１つの命令応答を前記ＢＳで受信することと、
前記ＭＤから前記１つの命令応答を前記ＢＳで受信するとすぐに、または受信後所定時間内に、前記ＲＦリンクを終了することとを含む
ことを特徴とする請求項１〜６いずれか一項に記載の方法。
【請求項８】
前記ＢＳと前記ＭＤとの間の前記通信セッション中に前記リンク中断モードがオンの状態では、ＲＦリンクの確立から該ＲＦリンクの終了までの平均合計時間が、１秒未満であることを特徴とする請求項１〜７いずれか一項に記載の方法。
【請求項９】
前記ＭＤを患者に植え込み、前記ＢＳを植え込まないことを特徴とする請求項１〜８いずれか一項に記載の方法。
【請求項１０】
前記ＭＤおよび前記ＢＳを植え込まないことを特徴とする請求項１〜８いずれか一項に記載の方法。
【請求項１１】
前記ＢＳは臨床医プログラマ、患者プログラマ、または遠隔モニタリング装置を備え、
前記ＭＤは神経刺激装置を備える
ことを特徴とする請求項１〜１０いずれか一項に記載の方法。
【請求項１２】
ＲＦリンクは複数の異なるＲＦチャネルのいずれか１つを用いて確立でき、
ＲＦリンクを確立する際に、
前記ＢＳからの送信が前記ＭＤに対して意図されているか否かを前記ＭＤが判定可能にする装置識別子と、
前記ＢＳが送信を行っている前記ＲＦチャネルのうち前記特定の１つを前記ＭＤに通知することによって、前記ＭＤが異なるＲＦチャネルに同調された場合に、前記ＢＳが送信を行っている前記特定のＲＦチャネルに前記ＭＤを同調可能にするチャネル識別子とを前記ＢＳから前記ＭＤに送信する
ことを特徴とする請求項１〜１１いずれか一項に記載の方法。
【請求項１３】
前記ステップ（ａ）は、以下のステップ：
（ａ．１）前記ＢＳのユーザから、前記ユーザが前記ＢＳを前記ＭＤと通信させたいと表明する所定の入力を選択することを受けるステップと、
（ａ．２）所定の時間が経過したことを判定するステップと、
（ａ．３）所定のトリガとなるイベントが生じたことを判定するステップと、のいずれかに応答して前記ＢＳと前記ＭＤとの間に通信セッションを確立するステップを含み、
前記ステップ（ｅ）は、以下のステップ：
（ｅ．１）前記ＢＳのユーザから、前記ユーザが前記ＢＳを前記ＭＤとこれ以上通信させたくないと表明する所定の入力を選択することを受けるステップと、
（ｅ．２）少なくとも所定時間はそれ以上前記ＢＳを前記ＭＤとの間で転送すべきデータが存在しないことを判定するステップと、
（ｅ．３）タイムアウト時間内に前記ＢＳから前記ＭＤに送られた命令がないことを判定するステップと、のいずれかに応答して前記ＢＳと前記ＢＤとの間の前記通信セッションを終了するステップを含む
ことを特徴とする請求項１〜１２いずれか一項に記載の方法。
【請求項１４】
基地局（ＢＳ）であって、
医療機器（ＭＤ）との間に、前記ＢＳと前記ＭＤとの間でデータ転送が望まれる期間を含む通信セッションを確立するように構成されたコントローラと、
前記コントローラに通信可能に結合されており、前記ＢＳと前記ＭＤとの間の前記通信セッション中に前記ＭＤのＲＦトランシーバとの高周波（ＲＦ）リンクを選択的に確立するように構成されたＲＦトランシーバと、を備え、
前記コントローラは、前記ＢＳと前記ＭＤとの間の前記通信セッション中にリンク中断モードを選択的にオンおよびオフにするように構成され、
前記ＢＳと前記ＭＤとの間の前記通信セッション中に前記リンク中断モードがオフの状態では、前記コントローラは、前記ＢＳと前記ＭＤとの間に確立したＲＦリンクを維持するように前記ＢＳの前記ＲＦトランシーバを制御し、
前記ＢＳと前記ＭＤとの間の前記通信セッション中に前記リンク中断モードがオンの状態では、前記コントローラは、前記ＢＳが前記ＭＤに命令を送ることになる場合のみ前記ＢＳと前記ＭＤとの間にＲＦリンクを確立するように前記ＢＳの前記ＲＦトランシーバを制御し、前記コントローラは、前記ＢＳが前記ＭＤから命令応答を受信すると前記ＢＳと前記ＭＤとの間の前記ＲＦリンクを終了するように前記ＢＳの前記ＲＦトランシーバを制御し、
前記コントローラは、前記ＢＳと前記ＭＤとの間の前記通信セッションを終了するように構成され、
該ＲＦリンクの各々は、前記ＢＳと前記ＭＤとの間でデータの無線送信を可能とする、これらの間で確立する無線通信経路を含むことを特徴とするＢＳ。
【請求項１５】
前記コントローラは少なくとも１つのプロセッサを有することを特徴とする請求項１４に記載のＢＳ。
【請求項１６】
前記コントローラは、
前記ＢＳが前記ＭＤに命令を送ることになり、これに応答して前記ＢＳが前記ＭＤから複数の命令応答を受信する予定である場合、および／または
前記ＢＳが前記ＭＤに複数の命令を送ることになる場合に、前記リンク中断モードをオフにするように構成され、
前記コントローラは、
前記ＢＳが前記ＭＤに１つの命令を送ることになり、これに応答して前記ＢＳが前記ＭＤから１つの命令応答を受信する予定である場合、
前記ＢＳが前記ＢＳのユーザインタフェースを介したユーザからの入力を受信するまで前記ＢＳが新たな命令を前記ＭＤに送る予定でない場合、または
前記ＢＳが所定時間内に新たな命令を前記ＭＤに送る予定でない場合に、前記リンク中断モードをオンにするように構成される
ことを特徴とする請求項１４又は１５に記載のＢＳ。
【請求項１７】
前記コントローラは、以下に生じる状態：
（ｉ）前記ＢＳが前記リンク中断モードをオンにする、
（ｉｉ）前記ＢＳが前記ＲＦリンクを終了する指示を実行する、または
（ｉｉｉ）前記ＢＳがリンクタイムアウト時間の間リンクメンテナンスメッセージもしくは命令応答を前記ＭＤから受信しない、
のいずれかに応答して前記ＢＳと前記ＭＤとの間の前記ＲＦリンクを終了するように構成される
ことを特徴とする請求項１４から１６いずれか一項に記載のＢＳ。
【請求項１８】
前記コントローラは、以下のステップ：
前記ＢＳのユーザから、前記ユーザが前記ＢＳを前記ＭＤと通信させたいと表明する所定の入力を選択することを受けるステップと、
所定の時間が経過したことを判定するステップと、
所定のトリガとなるイベントが生じたことを判定するステップと、のいずれかに応答して前記ＢＳと前記ＭＤとの間に通信セッションを確立するように構成されており、
以下のステップ：
前記ＢＳのユーザから、前記ユーザが前記ＢＳを前記ＭＤとこれ以上通信させたくないと表明する所定の入力を選択することを受けるステップと、
少なくとも所定時間はそれ以上前記ＢＳを前記ＭＤとの間で転送すべきデータが存在しないことを判定するステップと、
タイムアウト時間内に前記ＢＳから前記ＭＤに送られた命令がないことを判定するステップと、のいずれかに応答して前記ＢＳと前記ＢＤとの間の前記通信セッションを終了するように構成されている
ことを特徴とする請求項１４〜１７いずれか一項に記載のＢＳ。
【手続補正２】
【補正対象書類名】明細書
【補正対象項目名】００８５
【補正方法】変更
【補正の内容】
【００８５】
前述の発明を、明確化および理解の目的で、説明および例示によって多少詳しく説明したが、各種代替案、変形、同等物を用いてもよく、上記の説明は本発明の範囲内に限定するものとして解釈されるべきでないことは明らかである。
以下の項目は、国際出願時の特許請求の範囲に記載の要素である。
［項目１］
基地局（ＢＳ）と医療機器（ＭＤ）との間で電力効率のよい無線高周波（ＲＦ）通信を可能にする、前記ＢＳが使用するための方法であって、以下のステップ、
（ａ）前記ＢＳと前記ＭＤとの間の通信セッション中にリンク中断モードを選択的にオンおよびオフにするステップと、
（ｂ）前記ＢＳと前記ＭＤとの間の前記通信セッション中に前記リンク中断モードがオフの状態では、前記ＢＳと前記ＭＤとの間に確立したＲＦリンクを維持するステップと、
（ｃ）前記ＢＳと前記ＭＤとの間の前記通信セッション中に前記リンク中断モードがオンの状態では、前記ＢＳが前記ＭＤに命令を送ることになる場合のみ前記ＢＳと前記ＭＤとの間にＲＦリンクを確立し、前記ＢＳが前記ＭＤから命令応答を受信すると前記ＢＳと前記ＭＤとの間の前記ＲＦリンクを終了するステップとを備える方法。
［項目２］
前記ステップ（ａ）は、前記ＢＳが前記ＢＳと前記ＭＤとの間で通信セッションを開始すると、前記リンク中断モードをオフにし、前記ＢＳと前記ＭＤとの間にＲＦリンクを確立することを含むことを特徴とする項目１に記載の方法。
［項目３］
前記ステップ（ａ）は、
（ａ．１）
（ａ．１．ｉ）前記ＢＳが前記ＭＤに命令を送ることになり、これに応答して前記ＢＳが前記ＭＤから複数の命令応答を受信する予定である場合、および／または
（ａ．１．ｉｉ）前記ＢＳが前記ＭＤに複数の命令を送ることになる場合に、前記リンク中断モードをオフにすることと、
（ａ．２）
（ａ．２．ｉ）前記ＢＳが前記ＭＤに１つの命令を送ることになり、これに応答して前記ＢＳが前記ＭＤから１つの命令応答を受信する予定である場合、
（ａ．２．ｉｉ）前記ＢＳが前記ＢＳのユーザインタフェースを介したユーザからの入力を受信するまで前記ＢＳが新たな命令を前記ＭＤに送る予定でない場合、または
（ａ．２．ｉｉｉ）前記ＢＳが所定時間内に新たな命令を前記ＭＤに送る予定でない場合に、前記リンク中断モードをオンにすることとを備える
ことを特徴とする項目１に記載の方法。
［項目４］
前記ステップ（ｂ）は、
（ｂ．１）リンクメンテナンスメッセージを前記ＭＤに送信することで前記ＢＳと前記ＭＤとの間の前記ＲＦリンクを維持することと、
（ｂ．２）以下に生じる状態：
（ｉ）前記ＢＳが前記リンク中断モードをオンにする、
（ｉｉ）前記ＢＳが前記ＲＦリンクを終了する指示を実行する、または
（ｉｉｉ）前記ＢＳがリンクタイムアウト時間の間リンクメンテナンスメッセージもしくは命令応答を前記ＭＤから受信しない、のいずれかに応答して前記ＢＳと前記ＭＤとの間の前記ＲＦリンクを終了することとを含む
ことを特徴とする項目１に記載の方法。
［項目５］
前記ＢＳと前記ＭＤとの間の前記通信セッション中に前記ステップ（ａ）および（ｂ）は、
前記リンク中断モードがオフの状態では、前記ＭＤから複数の命令応答が必要となるような命令を前記ＢＳから前記ＭＤに送ることと、
前記リンク中断モードがオフの状態では、前記ＭＤから前記複数の命令応答を前記ＢＳで受信することと、
前記ＭＤから前記複数の命令応答を前記ＢＳで受信した後、前記リンク中断モードをオンにして前記ＲＦリンクを終了することとを含む
ことを特徴とする項目１に記載の方法。
［項目６］
前記ＢＳと前記ＭＤとの間の前記通信セッション中に前記ステップ（ａ）および（ｂ）は、
前記リンク中断モードがオフの状態では、前記ＢＳから前記ＭＤに複数の命令を送ることと、
前記リンク中断モードがオフの状態では、前記複数の命令に応答して前記ＭＤから命令応答を前記ＢＳで受信することと、
前記ＭＤから前記命令応答を前記ＢＳで受信した後、前記リンク中断モードをオンにして前記ＲＦリンクを終了することとを含む
ことを特徴とする項目１に記載の方法。
［項目７］
前記ＢＳと前記ＭＤとの間の前記通信セッション中に前記ステップ（ｃ）は、
前記リンク中断モードがオンの状態では、前記ＭＤから１つの命令応答が必要となるような１つの命令を前記ＢＳが前記ＭＤに送ることになる場合、前記ＢＳと前記ＭＤとの間にＲＦリンクを確立することと、
前記ＭＤから前記１つの命令応答が必要となるような前記１つの命令を前記ＢＳから前記ＭＤに送ることと、
前記ＭＤから前記１つの命令応答を前記ＢＳで受信することと、
前記ＭＤから前記１つの命令応答を前記ＢＳで受信するとすぐに、または受信後所定時間内に、前記ＲＦリンクを終了することとを含む
ことを特徴とする項目１〜６いずれか一項に記載の方法。
［項目８］
前記ＢＳと前記ＭＤとの間の前記通信セッション中に前記リンク中断モードがオンの状態では、ＲＦリンクの確立から該ＲＦリンクの終了までの合計時間が、指定された継続時間未満であることを特徴とする項目１〜６いずれか一項に記載の方法。
［項目９］
前記ＭＤを患者に植え込み、前記ＢＳを植え込まないことを特徴とする項目１〜６いずれか一項に記載の方法。
［項目１０］
前記ＭＤおよび前記ＢＳを植え込まないことを特徴とする項目１〜６いずれか一項に記載の方法。
［項目１１］
前記ＢＳは臨床プログラマ、患者プログラマ、または遠隔モニタリング装置を備え、
前記ＭＤは神経刺激装置を備える
ことを特徴とする項目１〜６いずれか一項に記載の方法。
［項目１２］
ＲＦリンクは複数の異なるＲＦチャネルのいずれか１つを用いて確立でき、
ＲＦリンクを確立する際に、
前記ＢＳからの送信が前記ＭＤに対して意図されているか否かを前記ＭＤが判定可能にする装置識別子と、
前記ＢＳが送信を行っている前記ＲＦチャネルのうち前記特定の１つを前記ＭＤに通知することによって、前記ＭＤが異なるＲＦチャネルに同調された場合に、前記ＢＳが送信を行っている前記特定のＲＦチャネルに前記ＭＤを同調可能にするチャネル識別子とを前記ＢＳから前記ＭＤに送信する
ことを特徴とする項目１〜６いずれか一項に記載の方法。
［項目１３］
基地局（ＢＳ）であって、
前記ＢＳと医療機器（ＭＤ）との間の通信セッション中に前記ＭＤのＲＦトランシーバとの高周波（ＲＦ）リンクを選択的に確立するように構成されたＲＦトランシーバと、
前記ＢＳと前記ＭＤとの間の前記通信セッション中にリンク中断モードを選択的にオンおよびオフにするように構成されたコントローラとを備え、
前記ＢＳと前記ＭＤとの間の前記通信セッション中に前記リンク中断モードがオフの状態では、前記コントローラは、前記ＢＳと前記ＭＤとの間に確立したＲＦリンクを維持するように前記ＢＳの前記ＲＦトランシーバを制御し、
前記ＢＳと前記ＭＤとの間の前記通信セッション中に前記リンク中断モードがオンの状態では、前記コントローラは、前記ＢＳが前記ＭＤに命令を送ることになる場合のみ前記ＢＳと前記ＭＤとの間にＲＦリンクを確立するように前記ＢＳの前記ＲＦトランシーバを制御し、前記コントローラは、前記ＢＳが前記ＭＤから命令応答を受信すると前記ＢＳと前記ＭＤとの間の前記ＲＦリンクを終了するように前記ＢＳの前記ＲＦトランシーバを制御することを特徴とするＢＳ。
［項目１４］
前記コントローラは少なくとも１つのプロセッサを有することを特徴とする項目１３に記載のＢＳ。
［項目１５］
前記コントローラは、
前記ＢＳが前記ＭＤに命令を送ることになり、これに応答して前記ＢＳが前記ＭＤから複数の命令応答を受信する予定である場合、および／または
前記ＢＳが前記ＭＤに複数の命令を送ることになる場合に、前記リンク中断モードをオフにするように構成され、
前記コントローラは、
前記ＢＳが前記ＭＤに１つの命令を送ることになり、これに応答して前記ＢＳが前記ＭＤから１つの命令応答を受信する予定である場合、
前記ＢＳが前記ＢＳのユーザインタフェースを介したユーザからの入力を受信するまで前記ＢＳが新たな命令を前記ＭＤに送る予定でない場合、または
前記ＢＳが所定時間内に新たな命令を前記ＭＤに送る予定でない場合に、前記リンク中断モードをオンにするように構成される
ことを特徴とする項目１３に記載のＢＳ。
［項目１６］
前記コントローラは、以下に生じる状態：
（ｉ）前記ＢＳが前記リンク中断モードをオンにする、
（ｉｉ）前記ＢＳが前記ＲＦリンクを終了する指示を実行する、または
（ｉｉｉ）前記ＢＳがリンクタイムアウト時間の間リンクメンテナンスメッセージもしくは命令応答を前記ＭＤから受信しない、
のいずれかに応答して前記ＢＳと前記ＭＤとの間の前記ＲＦリンクを終了するように構成される
ことを特徴とする項目１３に記載のＢＳ。
［項目１７］
１つ以上のプロセッサに読み取られて実行されると前記１つ以上のプロセッサに、以下のステップ、
（ａ）ＢＳとＭＤとの間の通信セッション中にリンク中断モードを選択的にオンおよびオフにするステップと、
（ｂ）前記ＢＳと前記ＭＤとの間の前記通信セッション中に前記リンク中断モードがオフの状態では、前記ＢＳと前記ＭＤとの間に確立したＲＦリンクを維持するステップと、
（ｃ）前記ＢＳと前記ＭＤとの間の前記通信セッション中に前記リンク中断モードがオンの状態では、前記ＢＳが前記ＭＤに命令を送ることになる場合のみ前記ＢＳと前記ＭＤとの間にＲＦリンクを確立し、前記ＢＳが前記ＭＤから命令応答を受信すると前記ＢＳと前記ＭＤとの間の前記ＲＦリンクを終了するステップと
を実行させる指示を記憶した非一時的なコンピュータ読み取り可能な媒体。
［項目１８］
基地局（ＢＳ）と医療機器（ＭＤ）との間で電力効率のよい無線高周波（ＲＦ）通信を可能にする、前記ＢＳが使用するための方法であって、前記ＢＳと前記ＭＤとの間の通信セッション中に使用することを特徴とし、以下のステップ、
前記ＭＤから複数の命令応答が必要となるような命令を前記ＢＳが前記ＭＤに送ることになる場合は常に、前記ＢＳと前記ＭＤとの間にＲＦリンクを確立し、前記ＢＳが前記ＭＤに前記命令を送り前記ＢＳが前記ＭＤから前記複数の命令応答を受信する間は、前記ＢＳと前記ＭＤとの間の前記ＲＦリンクを維持するステップと、
前記ＢＳが前記ＭＤに複数の命令を送ることになる場合は常に、前記ＢＳと前記ＭＤとの間にＲＦリンクを確立し、前記ＢＳが前記ＭＤに前記複数の命令を送り前記ＭＤから前記複数の命令に対する命令応答（複数可）を受信する間は、前記ＢＳと前記ＭＤとの間の前記ＲＦリンクを維持するステップと、
前記ＢＳと前記ＭＤとの間にＲＦリンクが存在して前記ＢＳが前記ＢＳのユーザインタフェースを介したユーザ入力を待つことになる場合は常に、前記ＲＦリンクを終了するステップとを備える方法。
［項目１９］
前記ＢＳが前記ＭＤに１つの命令を送ることになり、これに応答して前記ＢＳが前記ＭＤから１つの命令応答を受信する予定である場合は常に、前記ＢＳと前記ＭＤとの間にＲＦリンクを確立し、前記ＲＦリンクを用いて前記１つの命令を前記ＭＤに送って前記１つの命令応答を前記ＭＤから受信し、前記ＭＤから前記１つの命令応答を受信するとすぐに、または受信後所定時間内に、前記ＲＦリンクを終了することをさらに備える項目１８に記載の方法。
［項目２０］
前記ＢＳと前記ＭＤとの間にＲＦリンクが存在して前記ＢＳが少なくとも所定時間は命令を前記ＭＤに送る予定でない場合は常に、前記ＲＦリンクを終了することをさらに備える項目１８に記載の方法。
［項目２１］
基地局（ＢＳ）と医療機器（ＭＤ）との間で電力効率のよい無線高周波（ＲＦ）通信を可能にする、前記ＢＳが使用するための方法であって、以下のステップ、
前記ＢＳと前記ＭＤとの間に通信セッションを確立するステップと、
前記ＢＳと前記ＭＤとの間の前記通信セッション中にリンク中断モードを選択的にオンにするステップと、
前記ＢＳと前記ＭＤとの間の前記通信セッション中に前記リンク中断モードがオンの状態では、前記ＢＳが前記ＭＤに命令を送ることになる場合のみ前記ＢＳと前記ＭＤとの間にＲＦリンクを確立し、前記ＢＳが前記ＭＤから命令応答を受信すると前記ＢＳと前記ＭＤとの間の前記ＲＦリンクを終了するステップとを備える方法。
［項目２２］
前記ＢＳと前記ＭＤとの間の前記通信セッション中に前記リンク中断モードを選択的にオフにすることと、
前記ＢＳと前記ＭＤとの間の前記通信セッション中に前記リンク中断モードがオフの状態では、前記ＢＳと前記ＭＤとの間に確立したＲＦリンクを維持することとをさらに備える項目２１に記載の方法。